(57)【要約】【課題】本発明の解決しようとする課題は、幅の広いウエブの巻取や、硬く巻かれた巻取からであっても容易に抜去することのできる巻芯を提案するものである。【解決手段】ウエブ状のシート7を巻き取るための円筒形状の巻芯1であって、円筒の中心線4に対して平行であり、かつ円筒の長さ方向の一端面から他端面に至る、円筒の厚さ方向を貫通する１本の切れ目2を有し、この切れ目2を境界として切れ目2に沿って円筒の一方の側の側面3が円筒の中心方向に変形可能であることを特徴とする巻芯である。【選択図】図１
2014177340.tif 000002
【特許請求の範囲】
【請求項１】
ウエブ状のシートを巻き取るための円筒形状の巻芯であって、円筒の中心線に対して平行であり、かつ円筒の長さ方向の一端面から他端面に至る、円筒の厚さ方向を貫通する１本の切れ目を有し、この切れ目を境界として切れ目に沿って円筒の一方の側の側面が円筒の中心方向に変形可能であることを特徴とする巻芯。
【請求項２】
前記切れ目は、円筒の横断面から見た時に断面がＳ字状をなし、切れ目を境界として、対向する円筒の側面同士が継手を形成しており、円筒の内側から円筒を押し広げる力が働いた時に、継手が固着することにより、円筒の直径が拡大しないことを特徴とする請求項１に記載の巻芯。
【請求項３】
前記切れ目に沿って円筒の中心方向に変形可能な側面の、円筒の天面または底面に相当する部分に、該側面を中心方向に変形させるための把手を有することを特徴とする請求項１または２に記載の巻芯。
【発明の詳細な説明】
【技術分野】
【０００１】
本発明は、ウェブ状のシートやフィルムを巻き取るための巻芯に関し、特にシートを巻き取った後で、容易に抜去することができる巻芯に関する。
【背景技術】
【０００２】
ウェブ状のシートやフィルムを巻き取るための巻芯としては、厚紙を螺旋状に巻き重ねて作った紙管が最も一般的に使用されている。より精度を必要とする製品には、プラスチック製の巻芯や鋼管製の巻芯が用いられることもある。
【０００３】
一方、製品に巻芯が存在しない方が良いもの、例えばコアレスタイプのトイレットペーパーやロールタオルなどでは、巻き取った後で、巻芯を除去しなければならない。このため、これらの製品では外径が収縮する巻取軸を用いて直接製品を巻き取り、巻取後に巻芯を抜去している。
【０００４】
しかしこれらを製造する装置は、それぞれの製品を製造するための専用の装置であり、また、製品も幅が狭い上に比較的柔軟で容易に変形しうるものであるから、巻芯の抜去に当って大きな問題はない。
【０００５】
ところが、一般的な印刷機や塗工機においては、巻取ロールから巻芯を除去する作業は多くの場合、転写フィルムの抜けカスなどのような、不要な巻取ロールから巻芯を回収するのが目的であり、あくまで補助作業的なものである。このため従来は紙管に巻き取られたフィルム等をカッターで切り裂いて、紙管から引き剥がしたりしていた。
【０００６】
しかし、この作業は鋭利なカッターを用いて行うため、カッターの刃が滑って負傷するなど、労働災害の原因ともなっていた。
【０００７】
一般的な印刷機や塗工機の場合、幅も広いため、一般的なエアーシャフトのような爪が出入りするようなタイプのシャフトにフィルム等を直接巻き付けてしまうと、爪を引っ込めたとしても、容易に抜き取ることはできない。
【０００８】
本出願人の出願になる特許文献１に記載されたウエブシート巻取用巻芯ロールは、この巻芯の補充作業、紙管の回収作業を省力化するためになされたものである。
【０００９】
特許文献１に記載された巻芯ロールは、２個の半円弧状部材を円筒状に組み合わせて構成される円筒体の両端部に、それぞれ中心部に軸孔部が孔設された円板の円周に沿って円板面に垂直なフランジ部を備えたホルダーを取付け取外し可能に嵌着し、前記円筒体内を通ってそれぞれ一方のホルダーの軸孔部から他方のホルダーの軸孔部に支軸を装通し、前記それぞれホルダーを、前記支軸の一端部に取付け支持された係止部と、該支軸の他端部に取付け支持された締付部材とにより固定し、前記半円弧状部材の周面端縁部に沿って同一深さの適宜数の切欠部を設けたことを特徴とするウエブシート巻取用巻芯ロールである。
【先行技術文献】
【特許文献】
【００１０】
【特許文献１】特開平６−２４７６３７号公報
【発明の概要】
【発明が解決しようとする課題】
【００１１】
特許文献１に記載されたウエブシート巻取用巻芯ロールは、２個の半円弧状部材を円筒状に組み合わせて構成される円筒体の両端部が取付け取外し可能なホルダーによって固定されており、半円弧状部材の互いの対向接触する周面端縁部に沿って同一深さの切欠部を設けたので、ウエブシートを巻芯ロールの円筒体外周に巻回して巻き取りした後に、その両端部のホルダーを取外し、互いに対向する２個の半円弧状部材のうち、一方の部材を他方の部材に対して接触部分に沿って相対的にずらすことによって、一方部材の端縁部の切欠部内に他方部材の凸部が陥入し、円筒体の円周長さが短縮する方向に形状を変形させることができる。そのため、円筒体外周に巻回したウエブシートの巻回内面と円筒体外周部との間には僅かな空間部が発生して、円筒体を構成する２個の半円弧状部材をウエブシートの巻回内面より引き抜いて取り外すことができるというものである。
【００１２】
特許文献１に記載されたウエブシート巻取用巻芯ロールは、２個の半円弧状部材をウエブシートの巻回内面より取り外す際に、一方の部材を軸方向に相対的にずらす必要があるが、この過程においては、円筒の外周が変化しないため、幅が広い巻取や、硬く巻かれた巻取では、容易に取り外すことができないという問題があった。
【００１３】
本発明の解決しようとする課題は、幅の広いウエブの巻取や、硬く巻かれた巻取からであっても容易に抜去することのできる巻芯を提案するものである。
【課題を解決するための手段】
【００１４】
上記の課題を解決するための手段として、請求項１に記載の発明は、ウエブ状のシートを巻き取るための円筒形状の巻芯であって、円筒の中心線に対して平行であり、かつ円筒の長さ方向の一端面から他端面に至る、円筒の厚さ方向を貫通する１本の切れ目を有し、この切れ目を境界として切れ目に沿って円筒の一方の側の側面が円筒の中心方向に変形可能であることを特徴とする巻芯である。
【００１５】
本発明に係る巻芯は、円筒の軸方向に切れ目を有し、切れ目を境界として切れ目に沿って円筒の一方の側の側面が円筒の中心方向に変形可能であるから、シートを巻き取った後で、変形可能な側面を中心方向に変形させることにより、円筒の見かけの直径が小さくなり、巻き取ったシートから抜去することができる。
【００１６】
また、請求項２に記載の発明は、前記切れ目は、円筒の横断面から見た時に断面がＳ字状をなし、切れ目を境界として、対向する円筒の側面同士が継手を形成しており、円筒の内側から円筒を押し広げる力が働いた時に、継手が固着することにより、円筒の直径が拡大しないことを特徴とする請求項１に記載の巻芯である。
【００１７】
また、請求項３に記載の発明は、前記切れ目に沿って円筒の中心方向に変形可能な側面の、円筒の天面または底面に相当する部分に、該側面を中心方向に変形させるための把手を有することを特徴とする請求項１または２に記載の巻芯である。
【発明の効果】
【００１８】
本発明に係る巻芯は、円筒形状であり、円筒の中心線に対して平行で、かつ円筒の長さ方向の一端面から他端面に至る、円筒の厚さ方向を貫通する１本の切れ目を有するだけの極めて簡単な構造であるから、少ない費用で実施することができる。
【００１９】
操作に当たっては、変形可能な側面を中心方向に変形させるだけの簡単な操作で巻芯を抜去することができる。
【００２０】
請求項２に記載の発明によれば、切れ目がＳ字状をなし、切れ目を境界として、対向す
る円筒の側面同士が継手を形成しており、円筒の内側から円筒を押し広げる力が働いた時に、継手が固着することにより、円筒の直径が拡大しないため、例えば内部拡張式のエアーシャフトを利用して通常の紙管と同様の作業性を得ることができる。
【００２１】
さらに請求項３に記載の発明によれば、前記切れ目に沿って円筒の中心方向に変形可能な側面の、円筒の天面または底面に相当する部分に、該側面を中心方向に変形させるための把手を設けたので、この把手を持って容易に巻芯の抜去作業を行うことができる。
【図面の簡単な説明】
【００２２】
【図１】図１は、本発明に係る巻芯の基本的な実施態様を示した斜視説明図であり、図１(ａ）は、通常の状態を、また図１（ｂ）は、変形可能な側面を変形させた状態を示したものである。
【図２】図２は、図１に示した巻芯の断面説明図であり、図２（ａ）は、通常の状態を、また図２（ｂ）は、変形可能な側面を変形させた状態を示したものである。
【図３】図３は、本発明に係る巻芯の他の実施態様を示した断面説明図であり、図３（ａ）は、通常の状態を、また図３（ｂ）は、変形可能な側面を変形させた状態を示したものである。
【図４】図４は、図３に示した巻芯にシートを巻き取る状態を示した断面模式図である。
【図５】図５は、本発明に係る巻芯の他の実施態様を示した斜視説明図である。
【発明を実施するための形態】
【００２３】
以下図面を参照しながら、本発明に係る巻芯について詳細に説明する。
図１は、本発明に係る巻芯（１）の基本的な実施態様を示した斜視説明図であり、図１(ａ）は、通常の状態を、また図１（ｂ）は、変形可能な側面（３）を変形させた状態を示したものである。図２は、図１に示した巻芯（１）の断面説明図であり、図２（ａ）は、通常の状態を、また図２（ｂ）は、変形可能な側面（３）を変形させた状態を示したものである。
【００２４】
本発明に係る巻芯（１）は、ウエブ状のシートを巻き取るための円筒形状の巻芯であって、円筒の中心線（４）に対して平行であり、かつ円筒の長さ方向の一端面から他端面に至る、円筒の厚さ方向を貫通する１本の切れ目（２）を有し、この切れ目（２）を境界として切れ目（２）に沿って円筒の一方の側の側面が円筒の中心方向に変形可能であることを特徴とする。
【００２５】
図１に示した実施態様においては、切れ目（２）は、半径方向に対して傾きを持った平面状である。半径方向の切れ目であると切れ目（２）を境界として両側の側面が、いずれも他の側面に接触して、変形することができない。
【００２６】
巻芯（１）にフィルムやシートを巻き付けると、巻き締まりによって、外側から押しつけられるが、切れ目（２）の両側の側面同士が接触すると、それ以上は外径が小さくなることはないので、一般の紙管と同様に取り扱うことが出来る。
【００２７】
巻芯（１）の素材としては、鋼材、アルミニウム合金等の金属材料や、ポリ塩化ビニル樹脂、ポリプロピレン樹脂、ポリエチレン樹脂等の熱可塑性合成樹脂、不飽和ポリエステル樹脂を用いたＦＲＰなどの、通常巻芯として用いられている材料が使用できる。
【００２８】
巻芯（１）に使用する材料の種類と、巻芯（１）の寸法に応じて、必要な強度を持たせるための肉厚を設定する。
【００２９】
図３は、本発明に係る巻芯（１）の他の実施態様を示した断面説明図であり、図３（ａ）は、通常の状態を、また図３（ｂ）は、変形可能な側面（３）を円筒の中心線（４）に向かって変形させた状態を示したものである。
【００３０】
図３に示した実施態様においては、切れ目（２ｓ）が、円筒の横断面から見た時に断面がＳ字状をなし、切れ目を境界として、対向する円筒の側面同士が継手（５）を形成しており、円筒の内側から円筒を押し広げる力が働いた時に、継手が固着することにより、円筒の直径が拡大しないことを特徴とする。
【００３１】
図３の例では、Ｓ字状の切れ目（２ｓ）は、角張った形状をしているが、実際のＳ字のように滑らかな曲線状であってもよい。
【００３２】
図４は、図３に示した巻芯（１）にシートを巻き取る状態を示した断面模式図である。巻芯（１）の中には、エアーシャフト（１０）が挿入され、固定用の爪が外側に拡張して巻芯（１）を固定する。巻芯（１）は、継手（５）の働きにより、内側から押し広げようとする力が加わった場合には円筒の直径が拡大しないので、通常の紙管と同様に用いることができる。
【００３３】
巻き取られたシート（７）は、一定の内径を持った円筒を形成するので、エアーシャフト（１０）を引き抜き、巻芯（１）の変形可能な側面（３）を中心線（４）に向かって変形させることにより、容易に巻芯を抜去することができる。
【００３４】
図５は、本発明に係る巻芯（１）の他の実施態様を示した斜視説明図である。
図５に示した実施態様においては、切れ目（２）に沿って円筒の中心方向に変形可能な側面（３）の、円筒の天面または底面に相当する部分に、側面（３）を中心方向に変形させるための把手（６）を有することを特徴とする。把手（６）が存在することにより、巻芯（１）を抜去する時の作業が容易になる。
【００３５】
把手（６）が邪魔になる場合には、取付け取外しが容易にできる構造として、通常巻取作業時には外しておいても良い。例えば、丸孔をあけておき、丸棒を差し込んで把手としても良い。
【符号の説明】
【００３６】
１・・・巻芯
２・・・切れ目
２ｓ・・・Ｓ字状の切れ目
３・・・変形可能な側面
４・・・円筒の中心線（中心）
５・・・継手
６・・・把手
７・・・シート
１０・・・エアーシャフト
【図１】
2014177340.tif 000003
【図２】
2014177340.tif 000004
【図３】
2014177340.tif 000005
【図４】
2014177340.tif 000006
【図５】
2014177340.tif 000007